(57)【要約】【課題】組み付け操作が容易で、一旦組み付ければ確実に各部が固定されて一つの容器として安定した状態を維持でき、そのため収納液の種類によって充填時に内容器体の選択が可能であり、また、重厚な装飾性の付与が可能で高級感を現出することのできる二重容器を提案する。【解決手段】上端を開口した筒状の外容器体２と、該外容器体の口部に回転及び抜け出しを防止して嵌着した窓孔12付きの肩カバー３と、外容器体内に胴部21を垂下し且つ口頸部23を窓孔12より突出した状態で肩カバー３に嵌着固定した内容器４とを備え、口頸部基端部と窓孔縁部とを特殊構成の係合手段により嵌着固定させた。【選択図】図１
2005289465.tif 000002
【特許請求の範囲】
【請求項１】
上端を開口した筒状をなす外容器体２と、前記外容器体２の口部に回転及び抜け出しを防止して周壁11を嵌着し、上端に窓孔12を開口した肩カバー３と、外容器体２内に胴部21を垂下し且つ該胴部21の上端に肩部22を介して起立するとともに、基端部外周を前記窓孔12と同形状に形成した口頸部23を前記窓孔12より突出した状態で前記肩カバー３に係合手段を介して嵌着固定した内容器体４とを備え、前記係合手段は、前記窓孔12周縁部対向位置に設けた互いに並行する一対の支持垂面ｆ1 と、前記口頸部23外周基端部の前記各支持垂面ｆ1 との対応位置にそれぞれ設けた一対の互いに並行する被支持垂面ｆ2 とを、凹凸係合手段を介して乗り越え係合させる如く構成したことを特徴とする二重容器。
【請求項２】
前記各支持垂面ｆ1 間の前記窓孔12周縁部に係合突起17を突設するとともに、前記口頸部23外周基端部の前記係合突起17との対応位置に前記係合突起17が上方から嵌合する係合凹部27を凹設してなる請求項１記載の二重容器。
【請求項３】
前記肩カバー３の前記外容器体２に対する回転を防止する手段として、外容器体２の上端に穿設した切欠８に前記肩カバー３の周壁11内面に突設した突部13を嵌着し、前記肩カバー３の前記外容器体２に対する抜け出しを防止する手段として、前記外容器体２の外周上端部の突条９と、前記外容器体外周上端部に嵌合させた肩カバー周壁11内面の突条14とを相互に乗り越え係合させてなる請求項１記載の二重容器。
【請求項４】
前記肩カバー３が、前記外容器体２の外周上端部に嵌着した下部周壁11a の上端縁より前記外容器体２上面及び内容器体４の肩部22上面に下面を当接係止するフランジ部11b を介して上方に上部周壁11c を立設した周壁11を備える如く構成してなる請求項１記載の二重容器。
【発明の詳細な説明】
【技術分野】
【０００１】
本発明は二重容器に関する。
【背景技術】
【０００２】
二重容器として、内部の容器を交換するためのリフィル容器とし、外側の容器内に収納したリフィル容器を肩カバーにより固定したものが知られている。（例えば、特許文献１参照）
【０００３】
前記容器は、少なくとも上端を開口させた筒状の外装体内に、注出口を突設したリフィル容器を交換自在に収納させたもので、リフィル容器の注出口を上方に突出させる貫通孔設けた肩カバーを外装体の上端開口部に着脱自在にリフィル容器を装着させ、また、リフィル容器の注出口にキャップを着脱自在に装着させたものであり、リフィル容器の注出口の外周面にフランジが周設されており、該フランジが肩カバーと当接することによりリフィル容器の上方向への遊動が規制され、フランジと肩カバー又は外装体に互いに係合し合う少なくとも一対の係合部が設けられてリフィル容器の軸廻りの空転が規制されている。          
【特許文献１】特開２０００−１２８１６１号公報
【発明の開示】
【発明が解決しようとする課題】
【０００４】
本発明は従来の如き内容器をレフィル容器として使用する二重容器ではなく、組み付け操作が容易で、一旦組み付ければ確実に各部が固定されて一つの容器として安定した状態を維持でき、そのため収納液の種類によって充填時に内容器体の選択が可能であり、また、内容器体が外方より目視できる状態となる如く外容器体を構成すれば、重厚な装飾性の付与が行えて高級感を発現できる二重容器を提案するものである。
【課題を解決するための手段】
【０００５】
第１の手段として、本発明二重容器は、上端を開口した筒状をなす外容器体２と、前記外容器体２の口部に回転及び抜け出しを防止して周壁11を嵌着し、上端に窓孔12を開口した肩カバー３と、外容器体２内に胴部21を垂下し且つ該胴部21の上端に肩部22を介して起立するとともに、基端部外周を前記窓孔12と同形状に形成した口頸部23を前記窓孔12より突出した状態で前記肩カバー３に係合手段を介して嵌着固定した内容器体４とを備え、前記係合手段は、前記窓孔12周縁部対向位置に設けた互いに並行する一対の支持垂面ｆ1 と、前記口頸部23外周基端部の前記各支持垂面ｆ1 との対応位置にそれぞれ設けた一対の互いに並行する被支持垂面ｆ2 とを、凹凸係合手段を介して乗り越え係合させる如く構成した。
【０００６】
第２の手段として、前記第１の手段に於いて、前記各支持垂面ｆ1 間の前記窓孔12周縁部に係合突起17を突設するとともに、前記口頸部23外周基端部の前記係合突起17との対応位置に前記係合突起17が上方から嵌合する係合凹部27を凹設した。
【０００７】
第３の手段として、前記第１の手段に於いて、前記肩カバー３の前記外容器体２に対する回転を防止する手段として、外容器体２の上端に穿設した切欠８に前記肩カバー３の周壁11内面に突設した突部13を嵌着し、前記肩カバー３の前記外容器体２に対する抜け出しを防止する手段として、前記外容器体２の外周上端部の突条９と、前記外容器体外周上端部に嵌合させた肩カバー周壁11内面の突条14とを相互に乗り越え係合させた。
【０００８】
第４の手段として、前記第１の手段に於いて、前記肩カバー３が、前記外容器体２の外周上端部に嵌着した下部周壁11a の上端縁より前記外容器体２上面及び内容器体４の肩部22上面に下面を当接係止するフランジ部11b を介して上方に上部周壁11c を立設した周壁11を備える如く構成した。
【発明の効果】
【０００９】
本発明の二重容器は、内容器体４に肩カバー３を嵌着した状態で外容器体２に固定しているため、内容器体４が外容器体２に対して吊下状態で嵌合することができ、内容器体４の胴部形状等を種々採用でき、その結果、外容器体２の外面から内容器体４を目視できる状態としたは場合には立体感のある重厚な装飾性を得られるものであり、当然外容器体２内に密着した状態での内容器体胴部21の形態の採用も可能である。
【００１０】
また、基端部外周を前記窓孔12と同形状に形成した口頸部23を前記窓孔12より突出した状態で前記肩カバー３に内容器体４を嵌着固定し、その係合手段は、前記窓孔12周縁部対向位置に設けた互いに並行する一対の支持垂面ｆ1 と、前記口頸部23外周基端部の前記各支持垂面ｆ1 との対応位置にそれぞれ設けた一対の互いに並行する被支持垂面ｆ2 とを、凹凸係合手段を介して乗り越え係合させる如く構成したので、両者の嵌合が容易であるとともに、嵌着も嵌合強度の大きい嵌着が可能であり、特に、内容器体４を比較的柔軟性のあるものとし、肩カバー３を比較的剛性のあるものとすればより顕著となる。
【００１１】
また、肩カバー３を嵌着した内容器体４を外容器体２に嵌着する場合にも、外容器体２内に内容器体４の胴部21を挿入して外容器体の口部に肩カバー３の周壁11を嵌着すれば良いため、両者の嵌合が容易であり、全体として組み付け操作が極めて容易である。特に肩カバー３の外容器体２に対する回転を防止する手段として、外容器体２の上端に穿設した切欠８に肩カバー３の周壁11内面に突設した突部13を嵌着し、肩カバー３の外容器体２に対する抜け出しを防止する手段として、外容器体２の外周上端部の突条９と、前記外容器体外周上端部に嵌合させた肩カバー周壁11内面の突条14とを相互に乗り越え係合させた場合には、切欠８に突部13を挿通した状態で肩カバー３を外容器体２に対して強く押し下げることにより簡単に嵌着することができ、また、その嵌合強度は充分な抜け出しの防止を図れるものである。
【００１２】
また、各支持垂面ｆ1 間の前記窓孔12周縁部に係合突起17を突設するとともに、前記口頸部23外周基端部の前記係合突起17との対応位置に前記係合突起17が上方から嵌合する係合凹部27を凹設したものにあっては、内容器体４と肩カバー３との相互の回動をより確実に防止することができる。
【００１３】
更に、肩カバー３を、前記外容器体２の外周上端部に嵌着した下部周壁11a の上端縁より前記外容器体２上面及び内容器体４の肩部22上面に下面を当接係止するフランジ部11b を介して上方に上部周壁11c を立設した周壁11を備える如く構成すれば、外容器体２と肩カバー３との嵌着をよりがたつきの少ないものとすることができる。
【発明を実施するための最良の形態】
【００１４】
以下、本発明の実施例の形態を図面を参照して説明する。
【００１５】
図１は本発明二重容器１の一実施形態を示すもので、液体噴出ポンプＡを装着した例を示す。二重容器１は、外容器体２と、肩カバー３と、内容器体４とを備えている。
【００１６】
外容器体２は、上端を開口した筒状をなしている。図示例では底壁５周縁より周壁６を立設した上端開口の有底円筒状をなし、周壁６外周の上端部は肩カバー３を嵌着するために段部７を介して縮径部6aに形成している。また、上端縁には肩カバー３の回転を防止する手段を構成する一対の切欠８を設けており、その下方に肩カバー３の抜け出しを防止する手段を構成する突条９を周設している。外容器体２を形成する材質は特に限定されず、例えば合成樹脂，或いは金属，或いはそれらの積層構造等種々の材質が採用できる。また、外容器体２は透明であっても不透明であっても良いが、外部より内容器体４を目視できる如く構成することにより、内容器体４の外面に設けた装飾層或いは装飾エンボス等との組み合わせて立体感のある格調の高い外観を得られる。外部より内容体４を目視できる手段としては、外容器体２を透明乃至半透明に構成したり、或いは基本的に透明乃至半透明材質で構成して不透明部分を設けたりすることにより行うことができる。
【００１７】
肩カバー３は、前記外容器体２の口部に回転及び抜け出しを防止して周壁11を嵌着し、また、上端に内容器体４の後述する口頸部を突出するための窓孔12を備えている。肩カバー３を形成する材質も特に限定されないが、例えば、合成樹脂，金属或いはそれらの複合等が採用できる。回転防止手段としては、前記切欠８と嵌合する突部13を周壁11の内面に突設する手段が採用できる。また、抜け出しを防止する手段としては、外容器体２の外周と周壁11の内周とに互いに係合する凹凸係合手段を設けると良い。互いに係合する凹凸係合手段としは、嵌合面相互に突条を形成して一方の突条が他方の突条を乗り越えて係合する手段、或いは一方の嵌合面に突条を他方の嵌合面に凹条を形成して強制的に嵌合させる手段等を採用できる。
【００１８】
図示例では、周壁11が大径の下部周壁11a の上端にフランジ部11b を介して縮径した上部周壁11c を延設した形態を採っており、フランジ部11b の下面を外容器体２の上面に当接した状態で下部周壁11a を外容器体２の前記縮径部6a外周に嵌合させる如く構成している。下部周壁11a の内周上部には所定間隔をあけた一対の突部13を対向位置に二対突設しており、それぞれ外容器体２の前記切欠８の両端に嵌合する如く構成しており、各切欠８に各突部13を嵌合させることにより外容器体２と肩カバー３とが相互に回動するのを防止している。また、下部周壁11a の内周下部には突条14を周設しており、該突条14と外容器体２の前記突条９とが相互に乗り越えて強制的に嵌合する如く構成しており、両者の嵌合により外容器体２から肩カバー３の抜け出しを防止している。
【００１９】
また、上部周壁11c の上端縁より内方へフランジ状頂板15を延設しており、その内周縁部で前記窓孔12を囲成している。このフランジ状頂板15は途中で垂壁部を介して下方へ凹んだ状態を呈している。
【００２０】
内容器体４は、胴部21の上端に肩部22を介して口頸部23を起立した形態のもので、ブロー成形等により安価に形成したものが好ましく使用できるがこれに限られず、例えば底壁を別体に形成して胴部内を摺動上昇可能に構成した形態のものであっても良い。従って、その材質も合成樹脂に限定されない。また、前記口頸部23の基端部外周は肩カバー３の窓孔12と同形状をなしている。そして、外容器体２内に胴部21を垂下し且つ口頸部23を前記窓孔12より突出した状態で肩カバー３に係合手段を介して嵌着固定している。
【００２１】
前記係合手段は、前記窓孔12周縁部の対向位置に設けた互いに並行する一対の支持垂面ｆ1 と、前記口頸部23外周基端部の前記各支持垂面との対応位置にそれぞれ設けた一対の互いに並行する被支持垂面ｆ2 とを、凹凸係合手段を介して乗り越え係合させる如く構成している。凹凸係合手段としては前記した形態のものが採用できる。
【００２２】
図示例では、肩カバー３の窓孔12は基本的に円形をなし、両側に各支持垂面ｆ1 を形成するための突出部分を一体に形成し全体に平面視小判形をなしており、各支持垂面ｆ1 にそれぞれ係合突条16を突設している。また、口頸部23はその基端部を外方に小判形に膨出形成した膨出部25の両側を前記被支持垂面ｆ2 として構成し、それぞれ係合突条24を形成しており、係合突条16と係合突条24とをそれぞれ乗り越え係合させている。
【００２３】
前記の如く構成した二重容器１を組み付ける場合には、例えば、内容器体４の口頸部23を肩カバー３の窓孔12に挿通して係合突条16及び係合突条24を相互に乗り越え係合させ、内容器体４に肩カバー３を嵌着固定する。次いで、外容器体２内に胴部21を挿入し、外容器体２の切欠８に肩カバー３の突部13を嵌合させつつ、肩カバー３の突条14を外容器体２の突条９に乗り越え係合させて三者を一体に嵌合する。
【００２４】
また、この様に組み付けられた二重容器１は、図１に示す如く液体噴出ポンプＡを嵌着して使用することができる。液体噴出ポンプＡは口頸部23外周に装着筒31を螺着させて装着し、上端の押し下げヘッド32を上下動させることにより公知の内臓ポンプ機構により内容器体４内の液を吸い上げてヘッド32の噴出口33より噴出する如く構成している。尚、40はカバーキャップを示す。
【００２５】
また、本発明では前記した二重容器に於いて、内容器体４と肩カバー３との相互の回動を更に確実に防止する目的で、図７に示す如く、前記各支持垂面ｆ1 間の前記窓孔12周縁部に係合突起17を突設し、また、図８及び図９に示す如く、前記口頸部23の対応位置に前記係合突起17が上方から係合する係合凹部27を凹設しても良い。図示例では、係合凹部27は前記膨出部25の前後に凹設形成しており、また、係合突起17は前記フランジ部11b の内周縁の前後にそれぞれ突設している。これらの構成により、例えばポンプを装着した際の廻り止め効果が、支持垂面と被支持垂面との廻り止め効果のみでは対処しずらい場合でもより有効に発揮できる。
【図面の簡単な説明】
【００２６】
【図１】本発明二重容器にポンプを装着した判断面図である。（実施例１）
【図２】本発明二重容器に於ける外容器体の斜視図である。（実施例１）
【図３】本発明二重容器に於ける肩カバーの半断面図である。（実施例１）
【図４】本発明二重容器に於ける肩カバーの平面図である。（実施例１）
【図５】本発明二重容器に於ける内容器体の正面図である。（実施例１）
【図６】本発明二重容器に於ける内容器体の平面図である。（実施例１）
【図７】本発明二重容器に於ける肩カバーの平面図である。（実施例２）
【図８】本発明二重容器に於ける内容器体の正面図である。（実施例２）
【図９】本発明二重容器に於ける内容器体の平面図である。（実施例２）
【符号の説明】
【００２７】
２…外容器体，３…肩カバー，４…内容器体，８…切欠，９…突条，11…周壁，
11a …下部周壁，11b …フランジ部，11c …上部周壁，12…窓孔，13…突部，
14…突条，17…係合突起，21…胴部，23…口頸部，27…嵌合凹部，ｆ1 …支持垂面，
ｆ2 …被支持垂面
【図１】
2005289465.tif 000003
【図２】
2005289465.tif 000004
【図３】
2005289465.tif 000005
【図４】
2005289465.tif 000006
【図５】
2005289465.tif 000007
【図６】
2005289465.tif 000008
【図７】
2005289465.tif 000009
【図８】
2005289465.tif 000010
【図９】
2005289465.tif 000011